(57)【特許請求の範囲】
【請求項１】
出発信号機の信号現示が停止信号から停止信号以外の信号に変化する前に、車両を誤って出発させるのを防止する車両の誤出発防止システムであって、
前記車両の戸閉め完了が通知されてから所定時間経過する前に、この車両を出発させるための操作をしたときに警告を発生する警告発生手段を備えること、
を特徴とする車両の誤出発防止システム。
【請求項２】
請求項１に記載の車両の誤出発防止システムにおいて、
前記警告発生手段は、前記所定時間経過する前に前記車両のブレーキ装置を緩解させたときに警告を発生すること、
を特徴とする車両の誤出発防止システム。
【請求項３】
請求項１又は請求項２に記載の車両の誤出発防止システムにおいて、
前記所定時間経過するまで前記車両のブレーキ装置の緩解を禁止するように指令する緩解禁止指令手段を備えること、
を特徴とする車両の誤出発防止システム。
【発明の詳細な説明】
【技術分野】
【０００１】
この発明は、出発信号機の信号現示が停止信号から停止信号以外の信号に変化する前に、車両を誤って出発させるのを防止する車両の誤出発防止システム、及び設備機器の誤操作を防止する設備機器の誤操作防止システムに関する。
【背景技術】
【０００２】
鉄道運転士は、信号現示の誤確認防止を目的として指定した位置で対象物を指差しその状態を声に出して確認する指差称呼（指差喚呼）などを行っている。例えば、鉄道運転士は、出発前の確認作業として、車両の戸閉め表示灯の点灯を指差喚呼し、時計で現時刻を確認し、出発信号機の信号現示を確認し称呼してからブレーキを緩め（緩解）、ノッチを投入し車両を発車させている。しかし、戸閉め表示灯の点灯後に、出発信号機の信号現示が常に進行信号であるとは限らず、稀に信号現示が停止信号である場合がある。この場合に、停止信号であるにも関わらず出発信号機を運転士が十分に確認せずに出発してしまうおそれがある。
【０００３】
従来、運転士が信号機の信号現示に従わずにこの信号機の内方に進入する信号冒進を防ぐために、自動列車停止装置(Automatic Train Stop(ATS))が設置されている。この自動列車停止装置では、列車が信号機に接近して正常に停止しない場合などに地上からの制御信号によって運転室内に警報ベルを鳴らし運転士に注意を喚起したり、自動的にブレーキを動作させて信号機の手前側に停止させている。しかし、自動列車停止装置は、列車事故を未然に防止することができるが高価であるため、安価な信号冒進警報装置が提案されている。
【０００４】
従来の信号冒進警報装置は、信号機に取り付けられこの信号機の停止信号を検知して警報を送信する警報送信機と、列車の運転台に設置され運転士に警報ブザーを発生する車載機とを備えている（例えば、特許文献１参照）。このような従来の信号冒進警報装置では、停止信号を見誤って信号機の内方に冒進したときに、警報送信機からの警報を受信して運転士に対して警報ブザーを鳴動させ、直ちに列車を停止させるためのブレーキ操作をするように促している。
【０００５】
【特許文献１】特開2001-301620号公報
【発明の開示】
【発明が解決しようとする課題】
【０００６】
従来の信号冒進警報装置は、沿線の全ての信号機に取り付けられる地上側の警報送信機と、軌道上を走行する全ての車両の運転台に設置される車載機とから構成されている。このため、従来の信号冒進警報装置では、沿線の信号機の全てに警報送信機を取り付ける必要があり、設備が大規模になりコストが高くなってしまう問題点がある。
【０００７】
この発明の課題は、簡単な構成で安価に車両の誤出発や設備機器の誤操作を防止することができる車両の誤出発防止システムを提供することである。
【課題を解決するための手段】
【０００８】
この発明は、以下に記載するような解決手段により、前記課題を解決する。
なお、この発明の実施形態に対応する符号を付して説明するが、この実施形態に限定するものではない。
請求項１の発明は、出発信号機（Ｓ）の信号現示が停止信号から停止信号以外の信号に変化する前に、車両（Ｖ）を誤って出発させるのを防止する車両の誤出発防止システムであって、前記車両の戸閉め完了が通知（Ｓ１００）されてから所定時間経過する前に、この車両を出発させるための操作（Ｓ１２０）をしたときに警告を発生（Ｓ１４０）する警告発生手段（８）を備えることを特徴とする車両の誤出発防止システム（１）である。
【０００９】
請求項２の発明は、請求項１に記載の車両の誤出発防止システムにおいて、前記警告発生手段は、前記所定時間経過する前に前記車両のブレーキ装置を緩解（Ｓ１２０）させたときに警告を発生することを特徴とする車両の誤出発防止システムである。
【００１０】
請求項３の発明は、請求項１又は請求項２に記載の車両の誤出発防止システムにおいて、前記所定時間経過するまで前記車両のブレーキ装置の緩解を禁止するように指令する緩解禁止指令手段（９）を備えることを特徴とする車両の誤出発防止システムである。
【発明の効果】
【００１３】
この発明によると、簡単な構成で安価に車両の誤出発や設備機器の誤操作を防止することができる。
【発明を実施するための最良の形態】
【００１４】
（第１実施形態）
以下、図面を参照して、この発明の第１実施形態について詳しく説明する。
図１は、この発明の第１実施形態に係る車両の誤出発防止システムの構成図である。
図１に示す軌道Ｒは、車両Ｖが走行する通路（線路）である。軌道Ｒは、車両Ｖの車輪を支持し案内してこの車両Ｖを走行させるレールなどから構成されている。車両Ｖは、軌道Ｒに沿って走行する鉄道車両である。車両Ｖは、例えば、電車又は気動車などであり誤出発防止システム１を搭載している。出発信号機Ｓは、駅から出発する車両Ｖに対して信号現示する主信号機である。出発信号機Ｓは、車両Ｖに対して出発の可否を指示し車両Ｖの停止する限界を示している。ここで、信号現示とは、信号が示す符号の意味であり、図１に示すような３現示の場合には停止信号(赤)、注意信号(黄)及び進行信号(青)の３種類である。
【００１５】
誤出発防止システム１は、出発信号機Ｓの信号現示が停止信号から停止信号以外の信号（例えば、進行信号）に変化する前に、車両Ｖを誤って出発させるのを防止するシステムである。誤出発防止システム１は、戸閉め通知装置４が車両Ｖの戸閉め完了を通知してから所定時間経過する前に、運転士がブレーキ装置３を緩解したときに、警告発生装置８に所定の警告を発生させて信号冒進を防止する。誤出発防止システム１は、図１に示すように、運転操作装置２と、ブレーキ装置３と、戸閉め通知装置４と、計時装置５と、記憶装置６と、設定装置７と、警告発生装置８と、緩解禁止指令装置９と、制御装置１０などを備えている。
【００１６】
運転操作装置２は、運転士が車両Ｖを運転操作するための手段である。運転操作装置２は、運転士が車両Ｖを制御するときに操作する主幹制御器（マスターコントローラ）であり、車両Ｖの運転室内の運転台に設置されている。運転操作装置２は、例えば、運転士の手動操作によって前後方向にスライドするマスコンハンドル部を備えており、ワンハンドルマスコンの場合には速度制御又は加速度制御するときには後方にスライド操作され、ブレーキ制御するときには前方にスライド操作される。
【００１７】
ブレーキ装置３は、車両Ｖを制動させる手段である。ブレーキ装置３は、例えば、駆動力発生装置が発生する駆動力をてこの原理によって制輪子に伝達して車両Ｖの車輪の踏面に制輪子を押し付け、踏面と制輪子との間に発生する摩擦力によって車輪の回転を抑える基礎ブレーキ装置（踏面ブレーキ装置）である。ブレーキ装置３は、制御装置１０からの指令に基づいて動作する。
【００１８】
戸閉め通知装置４は、乗客が乗降するための車両Ｖのドアの閉鎖を通知する手段である。戸閉め通知装置４は、車両Ｖのドアを開閉するための戸閉め操作装置（車掌スイッチ）を車掌が操作して、車両Ｖの全てのドアが完全に閉鎖したときに点灯する戸閉め表示灯（戸閉めランプ）などであり、車両Ｖの運転室内の運転台に設置されている。戸閉め通知装置４は、車両Ｖのドアが開いた状態で車両Ｖが発車するのを防止するために、全ての車両Ｖのドアが閉じたときに励磁される戸閉め連動継電器と連動して車両Ｖのドアの閉鎖を通知する。
【００１９】
計時装置５は、戸閉め通知装置４が車両Ｖの戸閉め完了を通知してからの経過時間を計測する手段である。計時装置５は、例えば戸閉め表示灯が点灯するのと同時に時間の計測を開始するタイマなどである。計時装置５は、戸閉め通知装置４の戸閉め完了通知と連動して時間の計測を開始し、計測を開始してから所定時間経過後に時間の計測を終了する。
【００２０】
記憶装置６は、車両Ｖの発車を所定時間だけ禁止するための出発禁止時間を記憶する手段である。記憶装置６は、例えば、戸閉め通知装置４が車両Ｖの戸閉め完了を通知してから出発信号機Ｓの信号現示を運転士が確認し指差称呼するまでに要する時間を出発禁止時間として記憶するメモリである。
【００２１】
設定装置７は、記憶装置６が記憶する出発禁止時間の長さを任意の長さに設定するための手段である。一般に、誤出発エラーの発生者は、戸閉め表示灯が点灯したときに、出発信号機Ｓの信号現示が稀に停止信号であるにも関わらず、信号現示がいつも停止現示以外であると誤認してブレーキ装置３を緩解してしまうことがある。このため、誤出発エラーの発生者は、誤出発エラーの非発生者に比べて、車両Ｖを出発させる際の基本作業である出発信号機Ｓの確認や指差称呼などを怠るため、戸閉め表示灯が点灯してからブレーキ装置３を緩解するまでの時間が短いことが実験結果から確認されている。設定装置７は、例えば、戸閉め表示灯が点灯してからブレーキ装置３を緩解するまでに誤出発エラーの非発生者が要する時間のうち最長時間又は平均時間 (例えば、1.5秒程度)を出発禁止時間として設定する。設定装置７は、出発禁止時間を手動で設定する入力装置などを備えており、特別な権限を有する管理者のみに出発禁止時間の変更を許可している。
【００２２】
警告発生装置８は、戸閉め完了が通知されてから所定時間経過する前に、車両Ｖを出発させるための操作をしたときに警告を発生する手段である。警告発生装置８は、例えば、出発禁止時間が経過する前にブレーキ装置３を運転士が緩解したときに警告を発生する。警告発生装置８は、出発禁止時間内である旨を運転士に知らせるための音を発生するスピーカ、ブザーなどの音発生装置や、文字、図形、記号などを液晶画面上に表示する表示装置や、発光素子などを点灯させる発光装置などであり、車両Ｖの運転室内の運転台に設置されている。
【００２３】
緩解禁止指令装置９は、出発禁止時間が経過するまでブレーキ装置３の緩解を禁止するように指令する手段である。緩解禁止指令装置９は、出発禁止時間内にブレーキ装置３を運転士が緩解したときに、このブレーキ装置３を制御するブレーキ制御装置にこのブレーキ装置３を緩解しないように制御装置１０に指令させる。
【００２４】
制御装置１０は、車両Ｖの種々の動作を制御する中央処理装置(CPU)である。制御装置１０は、運転操作装置２を運転士が操作してブレーキ装置３を緩解したか否かを監視したり、車両Ｖの戸閉め完了の通知を戸閉め通知装置４に指令したり、計時装置５に時間の計測を指令したり、記憶装置６から出発禁止時間を読み出して計時装置５が計測した時間と照合したり、設定装置７によって設定された出発禁止時間を記憶装置６に記憶させたり、警告発生装置８に所定の警告の発生を指令したり、緩解禁止指令装置９からの指令に基づいてブレーキ装置３を緩解しないように指令したりする。制御装置１０には、図１に示すように、運転操作装置２、ブレーキ装置３、戸閉め通知装置４、計時装置５、記憶装置６、設定装置７、警告発生装置８及び緩解禁止指令装置９が相互に通信可能なように接続されている。
【００２５】
次に、この発明の第１実施形態に係る車両の誤出発防止システムの動作を説明する。
図２は、この発明の第１実施形態に係る車両の誤出発防止システムの動作を説明するためのフローチャートである。以下では、制御装置１０の動作を中心として説明する。
ステップ（以下、Ｓという）１００において、戸閉め通知装置４が戸閉め完了通知をしたか否かを制御装置１０が判断する。例えば、車掌スイッチを車掌が操作して車両Ｖのドアが全て完全に閉鎖すると、戸閉め連動継電器から制御装置１０に戸閉め完了が通知されて、戸閉め完了を通知するように戸閉め通知装置４に制御装置１０が指令する。戸閉め通知装置４が戸閉め完了を通知したときにはＳ１１０に進み、戸閉め通知装置４が戸閉め完了を通知しなかったときには戸閉め完了を通知するまで判断を繰り返す。
【００２６】
Ｓ１１０において、計時装置５に計時開始を制御装置１０が指令する。戸閉め通知装置４が戸閉め完了を通知するのと同時に制御装置１０が計時装置５に計測開始を指令すると、戸閉め完了からの経過時間の計測を計時装置５が開始する。
【００２７】
Ｓ１２０において、ブレーキ装置３が緩解されたか否かを制御装置１０が判断する。運転操作装置２を運転士が操作してマスコンハンドル部を後方にスライド操作すると、ブレーキ装置３が緩解される。ブレーキ装置３が緩解されたときにはＳ１３０に進み、ブレーキ装置３が緩解されなかったときには緩解されるまで判断を繰り返す。
【００２８】
Ｓ１３０において、出発禁止時間を経過したか否かを制御装置１０が判断する。記憶装置６が記憶する出発禁止時間と計時装置５が計測した経過時間とを制御装置１０が比較し、経過時間が出発禁止時間を越えたか否かを判断する。出発禁止時間を経過していないときにはＳ１４０に進み、出発禁止時間を経過したときには、出発信号機Ｓの信号現示を運転士が確認し指差称呼をしたものと考えられるため、一連の動作を終了する。
【００２９】
Ｓ１４０において、警告発生装置８に警告発生を制御装置１０が指令する。出発禁止時間を経過する前にブレーキ装置３が緩解されたときには、出発信号機Ｓの信号現示を運転士が十分に確認せずにブレーキ装置３を緩解した可能性が高いと考えられる。このため、運転士に注意を喚起するために、警告発生装置８がブザーを鳴動させたり画面上に警告を表示させたり発光素子を点灯させたりする。
【００３０】
この発明の第１実施形態に係る車両の誤出発防止システムには、以下に記載するような効果がある。
(1) この第１実施形態では、車両Ｖの戸閉め完了が通知されてから所定時間経過する前に、この車両Ｖを出発させるための操作をしたときに警告発生装置８が警告を発生する。このため、所定時間内は運転士に安全確認を徹底させ、出発信号機Ｓの信号現示を運転士が十分に確認せずに車両Ｖを出発させないように運転士に注意を喚起することができる。また、従来の信号冒進警報装置や自動列車停止装置のような地上側の設備が不要になり、車両Ｖ側の既存の設備を利用して安価で簡単にシステムを構成することができる。特に、地方鉄道や閑散線区などでは低コストでシステムを構成することができる。
【００３１】
(2) この第１実施形態では、車両Ｖの戸閉め完了が通知されてから所定時間経過する前に、車両Ｖのブレーキ装置３を緩解させたときに警告発生装置８が警告を発生する。このため、出発信号機Ｓの信号現示を運転士が十分に確認せずに、ブレーキ装置３を運転士が緩解して、車両Ｖを出発させるのを可能な限り阻止することができる。また、出発信号機Ｓの信号現示が進行信号である場合には、戸閉め完了後に直ちに車両Ｖを発車可能であるが、この場合であっても所定時間内はブレーキ装置３の緩解を許可しないことで出発信号機Ｓの確認を運転士に常に義務付け習慣化させ教育することができる。
【００３２】
(3) この第１実施形態では、車両Ｖの戸閉め完了が通知されてから所定時間経過するまで車両Ｖのブレーキ装置３の緩解を禁止するように緩解禁止指令装置９が指令する。このため、出発信号機Ｓの信号現示を運転士が十分に確認せずに、運転操作装置２を運転士が操作して車両Ｖを発車させようとしても、ブレーキ装置３が停車状態を維持するため車両Ｖの誤出発を防止することができる。
【００３３】
（第２実施形態）
図３は、この発明の第２実施形態に係る設備機器の誤操作防止システムの構成図である。以下では、図１に示す部分と対応する部分については、対応する番号を付して詳細な説明を省略する。
図３に示す設備機器Ｍは、プラント、工場、工事現場などで使用される機械、器具、装置などである。誤操作防止システム１１は、設備機器Ｍの誤操作を防止するシステムである。誤操作防止システム１１は、操作許可通知装置１４が設備機器Ｍの所定の操作を許可する通知をしてから所定時間経過する前に、作業者が運転操作装置１２を操作したときに、警告発生装置１８に所定の警告を発生させて誤操作を防止する。誤操作防止システム１１は、図３に示すように、運転操作装置１２と、操作許可通知装置１４と、計時装置１５と、記憶装置１６と、設定装置１７と、警告発生装置１８と、操作禁止指令装置１９と、制御装置２０などを備えている。
【００３４】
運転操作装置１２は、作業者が設備機器Ｍを運転操作するための手段であり、設備機器Ｍを動作させるときに作業者が操作するスイッチ、ボタン、ハンドルなどである。操作許可通知装置１４は、設備機器Ｍの操作の許可を通知する手段である。操作許可通知装置１４は、例えば、運転操作装置１２を作業者が操作して設備機器Ｍにある動作させたときに、この動作の完了又は次の動作を許可する通知をしたりする。計時装置１５は、操作許可通知装置１４が設備機器Ｍの操作を許可する通知をしてからの経過時間を計測する手段である。記憶装置１６は、設備機器Ｍの操作を所定時間だけ禁止するための操作禁止時間を記憶する手段である。記憶装置１６は、例えば、設備機器Ｍがある動作を完了してから、運転操作装置１２を作業者が操作して設備機器Ｍに次の動作をさせるまでに、作業者が安全を確認するのに要する時間を操作禁止時間として記憶する。設定装置１７は、記憶装置１６が記憶する操作禁止時間の長さを任意の長さに設定するための手段である。警告発生装置１８は、操作禁止時間が経過する前に、設備機器Ｍを操作したときに警告を発生する手段である。警告発生装置１８は、例えば、操作禁止時間が経過する前に運転操作装置１２を作業者が操作して設備機器Ｍを動作させようとしたときに警告を発生する。操作禁止指令装置１９は、操作禁止時間が経過するまで運転操作装置１２の操作を禁止するように指令する手段であり、設備機器Ｍの動作を制御する動作制御装置にこの設備機器Ｍが動作しないように制御装置２０に指令させる。
【００３５】
制御装置２０は、設備機器Ｍの種々の動作を制御する中央処理装置(CPU)である。制御装置２０は、運転操作装置１２を作業者が操作したか否かを監視したり、操作許可通知装置１４に設備機器Ｍの操作の許可を通知するように指令したり、計時装置１５に時間の計測を指令したり、記憶装置１６から操作禁止時間を読み出して計時装置１５が計測した時間と照合したり、設定装置１７によって設定された操作禁止時間を記憶装置１６に記憶させたり、警告発生装置１８に所定の警告の発生を指令したり、操作禁止指令装置１９に操作禁止の指令をさせたりする。制御装置２０には、図３に示すように、運転操作装置１２、操作許可通知装置１４、計時装置１５、記憶装置１６、設定装置１７、警告発生装置１８及び操作禁止指令装置１９が相互に通信可能なように接続されている。
【００３６】
次に、この発明の第２実施形態に係る設備機器の誤操作禁止システムの動作を説明する。図４は、この発明の第２実施形態に係る設備機器の誤操作禁止システムの動作を説明するためのフローチャートである。以下では、制御装置２０の動作を中心として説明する。なお、図２に示すステップと対応するステップについては対応する番号を付して詳細な説明を省略する。
【００３７】
Ｓ２００において、操作許可通知装置１４が設備機器Ｍの操作の許可を通知したか否かを制御装置２０が判断し、操作許可が通知されたときにはＳ２１０に進み、操作許可が通知されなかったときには操作許可が通知されるまで判断を繰り返す。Ｓ２１０において、計時装置１５に計時開始を制御装置１０が指令し、操作許可通知装置１４が操作許可を通知するのと同時に操作許可の通知がされてからの経過時間の計測を計時装置１５が開始する。Ｓ２２０において、運転操作装置１２が操作されたか否かを制御装置２０が判断し、操作されたときにはＳ２３０に進み、操作されなかったときには操作されるまで判断を繰り返す。Ｓ２３０において、操作禁止時間を経過したか否かを制御装置２０が判断し、操作禁止時間を経過していないときにはＳ２４０に進み、操作禁止時間を経過したときには、作業者が安全を確認したものと考えられるため、一連の動作を終了する。Ｓ２４０において、警告発生装置１８に警告発生を制御装置２０が指令する。操作禁止時間を経過する前に運転操作装置１２が操作されたときには、作業者が安全を十分に確認せずに運転操作装置１２を操作した可能性が高いと考えられる。このため、作業者に注意を喚起するために、警告発生装置１８がブザーを鳴動させたり画面上に警告を表示させたり発光素子を点灯させたりする。
【００３８】
この発明の第２実施形態に係る設備機器の誤操作防止システムには、以下に記載するような効果がある。
(1) この第２実施形態では、設備機器Ｍの操作を許可する通知がされてから所定時間経過する前に、この設備機器Ｍの操作を開始したときに警告発生装置１８が警告を発生する。このため、所定時間内は作業者に安全確認を徹底させ、十分に安全を確認せずに設備機器Ｍを操作させないように作業者に注意を喚起することができる。
【００３９】
(2) この第２実施形態では、設備機器Ｍの操作を許可する通知がされてから所定時間経過するまで設備機器Ｍの操作を禁止するように操作禁止指令装置１９が指令する。このため、作業者が十分に安全を確認せずに運転操作装置１２を操作して、設備機器Ｍを動作させるのを可能な限り阻止することができる。
【００４０】
（他の実施形態）
この発明は、以上説明した実施形態に限定するものではなく、以下に記載するように種々の変形又は変更が可能であり、これらもこの発明の範囲内である。
(1) この実施形態では、車両Ｖとして鉄道車両を例に挙げて説明したが、自動車などについてもこの発明を適用することができる。また、この実施形態では、所定時間経過するまでブレーキ装置３の緩解や運転操作装置１２の操作を禁止するために緩解禁止指令装置９や操作禁止指令装置１９を備えているが、より一層の低コスト化を図る場合にはこれらの装置を省略することもできる。さらに、この実施形態では、車両Ｖや設備機器Ｍの制御装置１０，２０に誤出発防止機能や誤操作防止機能を付加する場合を例に挙げて説明したが、これらの機能を装置としてユニット化して制御装置１０，２０と通信可能なように接続し着脱自在に構成することもできる。
【００４１】
(2) この実施形態では、３現示の出発信号機Ｓを例に挙げて説明したが、停止信号、注意信号及び進行信号の他に警戒信号(黄・黄)及び減速信号（黄・青）を信号現示に含む５現示の出発信号機についても、この発明を適用することができる。また、この実施形態では、出発信号機Ｓの信号現示が停止信号から進行信号に変化する前に車両Ｖを出発させる場合を例に挙げて説明したが、注意信号、警戒信号、減速信号などに変化する前に車両Ｖを出発させる場合についても、この発明を適用することができる。
【図面の簡単な説明】
【００４２】
【図１】この発明の第１実施形態に係る車両の誤出発防止システムの構成図である。
【図２】この発明の第１実施形態に係る車両の誤出発防止システムの動作を説明するためのフローチャートである。
【図３】この発明の第２実施形態に係る設備機器の誤操作防止システムの構成図である。
【図４】この発明の第２実施形態に係る設備機器の誤操作禁止システムの動作を説明するためのフローチャートである。
【符号の説明】
【００４３】
１  誤出発防止システム
２  運転操作装置
３  ブレーキ装置
４  戸閉め通知装置
５  計時装置
６  記憶装置
７  設定装置
８  警告発生装置
９  緩解禁止指令装置
１０  制御装置
１１  誤操作防止システム
１２  運転操作装置
１４  操作許可通知装置
１５  計時装置
１６  記憶装置
１７  設定装置
１８  警告発生装置
１９  操作禁止指令装置
２０  制御装置
Ｒ  軌道
Ｖ  車両
Ｓ  出発信号機
Ｍ  設備機器
【図１】
0004822500.tif 000002
【図２】
0004822500.tif 000003
【図３】
0004822500.tif 000004
【図４】
0004822500.tif 000005